(57)【特許請求の範囲】
【請求項１】
遊技盤面側から導入した遊技球を通過させる複数の駆動球通路と、
表面側から視認できる図柄を有し前記各駆動球通路に対応して配されて該駆動球通路を通過する遊技球によって回転駆動される複数の回転ドラムと、
前記各回転ドラムの回転角度に応じて変位して複数の前記回転ドラムの回転角度が特定回転角度になったときに遊技球を特別の場所に導く特別通路を開通させる変位部材とを備えた条件装置であって、
前記回転ドラムは、対応する前記駆動球通路を通過する遊技球１球毎に、予め設定されている回転角度だけ回転駆動され、
前記回転ドラムのそれぞれについてその回転方向を一方向に定め、各回転ドラムにつき、その回転ドラムが次に回転駆動されて停止した際に表示される前記図柄を予告する予告手段を設けたことを特徴とする条件装置。
【請求項２】
請求項１記載の条件装置と、
該条件装置によって開通させられた前記特別通路によって導かれた遊技球によって開放される変動入賞装置とを備えることを特徴とする弾球遊技機。
【発明の詳細な説明】
【０００１】
【発明の属する技術分野】
本発明は、弾球遊技機の技術分野に属する。
【０００２】
【従来の技術】
パチンコ機やアレンジボール式パチンコ機などの弾球遊技機には、遊技球が例えば始動入賞口に入賞したことに起因して抽選処理を実行し、この抽選結果を図柄を用いて表示し、抽選が当たりであった（当たりを示す特別図柄が表示された）ことに起因して例えば大入賞装置を開放する等により遊技者に有利な特別遊技を実行するものがある。
【０００３】
【発明が解決しようとする課題】
ところで、このような弾球遊技機では、抽選処理はマイクロコンピュータによって行われていたため、遊技者にはその処理が適正に行われているか否かは判らなかった。このため、遊技者が抽選処理に不信感を抱くことがあった。
【０００４】
また、こうした抽選処理や大入賞装置の制御等にマイクロコンピュータを用いると、電気的な構成が複雑化し、部品点数が多くなったり、弾球遊技機の製造工程の複雑化や製造コストの増加等の問題もあった。
本発明は、弾球遊技機における抽選に対する遊技者の不信感を解消することを主たる目的とし、副次的には弾球遊技機の電気的な構成の簡素化を図ることを目的としている。
【０００５】
【課題を解決するための手段および発明の効果】
上記課題を解決するための請求項１記載の条件装置は、遊技盤面側から導入した遊技球を通過させる複数の駆動球通路と、表面側から視認できる図柄を有し前記各駆動球通路に対応して配されて該駆動球通路を通過する遊技球によって回転駆動される複数の回転ドラムと、前記各回転ドラムの回転角度に応じて変位して複数の前記回転ドラムの回転角度が特定回転角度になったときに遊技球を特別の場所に導く特別通路を開通させる変位部材とを備えた条件装置であって、
前記回転ドラムは、対応する前記駆動球通路を通過する遊技球１球毎に、予め設定されている回転角度だけ回転駆動され、
前記回転ドラムのそれぞれについてその回転方向を一方向に定め、各回転ドラムにつき、その回転ドラムが次に回転駆動されて停止した際に表示される前記図柄を予告する予告手段を設けたことを特徴とする。
【０００６】
この条件装置では、駆動球通路は遊技盤面側から導入した遊技球を通過させ、各駆動球通路に対応して配されている回転ドラムは、対応する駆動球通路を通過する遊技球によって回転駆動される。図柄の位置は回転ドラムの回転に伴って変化するから、遊技者は、図柄を見ることによって回転ドラムの回転角度を知ることができる。
【０００７】
１球の遊技球による回転ドラムの回転角度は予め設定されており、また、回転ドラムの回転方向も一方向に決めてある。
【０００８】
変位部材は、各回転ドラムの回転角度に応じて変位し、複数の回転ドラムの回転角度が特定回転角度になったときに遊技球を特別の場所に導く特別通路を開通させる。この特定回転角度になったときに、例えば複数の回転ドラムの図柄が揃うように設定しておけば、特定回転角度になったことを図柄によって示すことができる。
【０００９】
変位部材は、各回転ドラムに対応して回転ドラムと同数設けられてもよいし、必ずしも回転ドラムの数と変位部材の数が一致しなくてもよい。変位部材の変位としては、上下、前後、左右等の移動変位、揺動や回転変位、これらの組合せ等が例示されるが、特に限定はない。要は、複数の回転ドラムの回転角度が特定回転角度になったときに遊技球を特別の場所に導く特別通路を開通させればよいのである。
【００１０】
特別通路を開通させるとは、普段は存在しない通路がこのときに限って存在させられる場合や、普段は遊技球が通過できない通路が通過可能になる場合があり、具体的には複数の変位部材が共同して一連の樋状の通路を形成したり、途切れ途切れの通路を一本の通路にしたり、既に存在する通路から障害となる部材（これが変位部材でもよい）を撤去したりすることが例示される。なお、複数の回転ドラムの回転角度が特定回転角度になればよいのであって、全部の回転ドラムの回転角度が特定回転角度になることを要さない。もちろん、全部の回転ドラムの回転角度が特定回転角度になることを条件としてもよい。
【００１１】
また、この特別通路は、駆動球通路を通過した遊技球すなわち回転ドラムを回転させた遊技球を導いてもよいし、例えば遊技盤面に設置された特別の入賞口に入賞した遊技球のような、条件装置とは別の場所からの遊技球を導いてもよい。そして、特別通路にて導かれた遊技球により、例えばチューリップ型の可変入賞装置を開放させたり、アタッカーと呼ばれる形式の入賞装置を開放させる等、その装置が作動することによって遊技者にとって有利な状態となる装置を作動させる構成とすればよい。
【００１２】
この条件装置によれば、遊技盤面側から導入した遊技球が駆動球通路を通過する毎に回転ドラムが回転し、複数の回転ドラムの回転角度が特定回転角度になれば、特別通路が開通され、その特別通路にて導かれた遊技球により、例えばチューリップ型の可変入賞装置を開放させる等によって遊技者にとって有利な状態とできる。すなわち、機械的な動作だけで大当たり状態を創出できるから、例えばマイクロコンピュータのような電気的な構成は必要としない。
【００１３】
しかも、遊技者は、図柄の位置によって回転ドラムの回転角度を知ることができるから、当たり状態に至るまでの経過を知ることができ、また当たり状態になったことも図柄により明瞭に確認できる。よって、この条件装置の動作に対して遊技者が不信感を抱くおそれもない。
【００１４】
したがって、弾球遊技機における抽選に対する遊技者の不信感を解消することができ、また弾球遊技機の電気的な構成の簡素化を図ることができる。
しかも、回転ドラムは、対応する駆動球通路を通過する遊技球１球毎に、予め設定されている回転角度だけ回転駆動されるので、遊技者は、どの回転ドラムが何回変動すれば当たり状態になるか（あと何球必要か）が判り、その回転ドラムを変動させるべく狙って遊技球を発射することができるので、弾球遊技の興趣を向上させることができる。
【００１５】
また、回転ドラムのそれぞれについてその回転方向が一方向に定められており、各回転ドラムにつき、その回転ドラムが次に回転駆動されて停止した際に表示される図柄を予告する予告手段を設けているので、遊技者は、例えばどの回転ドラムを回転駆動すれば複数の回転ドラムの回転角度が特定回転角度になるかを知ることができ、その回転ドラムを回転駆動させるべく狙って遊技球を発射する等の行為が可能になる。
【００１６】
予告手段としては、例えば次に表示される図柄の縮図を各図柄に付随させて描いておいたり、ＬＥＤ等の電気的な手段で示すことが例示される。
また条件装置では、複数の回転ドラムを上下方向に沿って配設し、下段に配される回転ドラム対応する駆動球通路を通過する遊技球によって回転駆動されて下段に配される回転ドラムを回転駆動する下用のドラムホイールと、上段に配される回転ドラム対応する駆動球通路を通過する遊技球によって回転駆動されて上段に配される回転ドラムを回転駆動する上用のドラムホイールとを設けると共に、上用のドラムホイールを上段に配される回転ドラムよりも下方に配設し、上用のドラムホイールの回転力を上段に配される回転ドラムに伝達する上下方向駆動力伝達機構を設ければ、条件装置の左右間の幅寸法が単体の回転ドラムの幅寸法により概ね決定されるから、条件装置の設計自由度が高く、必要に応じて容易に条件装置の大型化あるいは小型化を行うことができる。
【００１７】
特に、上側の回転ドラムを回転させるための上用のドラムホイールと下側の回転ドラムを回転させるための下用のドラムホイールとを共通の回転軸により支持し、上用のドラムホイールの回転力を上下方向動力伝達機構を介して上側の回転ドラムに伝達すれば、条件装置の内部の樋や変位部材を左右ほぼ対称に形成することができる。したがって、無駄なスペースを生じ難く、条件装置の小型化が容易である。
【００１８】
上下方向動力伝達機構は、上用のドラムホイールの回転力を上側の回転ドラムに伝達するものであるので、歯車あるいはリンク機構のように簡単な構成を採用できる。したがって、上下方向動力伝達機構に、形状や機能が複雑な部品を用いる必要はなく、上下方向動力伝達機構の小型化及び各部品の薄肉化が容易である。そして、この結果、内部の樋や変位部材を整然と配設でき、条件装置の小型化が容易になる。
【００１９】
弾球遊技機に本発明の条件装置を採用する場合には、請求項２記載のように、この条件装置と、条件装置によって開通させられた特別通路によって導かれた遊技球によって開放される変動入賞装置とを備えればよい。このような構成とすれば、特別通路の開通によって遊技者に有利な状態を生成することができる。また、特別通路によって導かれた遊技球によって開放される変動入賞装置と、この変動入賞装置と連動する他の変動入賞装置を備えて、１回の特別通路の開通によって多量の賞球等を得られる構成とする等により、従来の弾球遊技機における大当たりと同等の遊技状態とすることもできる。
【００２０】
【発明の実施の形態】
次に、本発明の実施例及び変形例を図面を参照して説明することにより、発明の実施の形態を具体的に説明する。
【００２１】
【実施例１】
まず図１を参照して、本実施例における弾球遊技機としてのパチンコ機の遊技盤１０の構成を説明する。なお、パチンコ機本体（遊技盤１０以外）の構成は周知技術に従っているので図示および説明を省略する。
【００２２】
この遊技盤１０では、周知の遊技盤と同様に、外ガイドレール１２と内ガイドレール１４にて囲まれる部分に遊技領域１６が形成される。遊技領域１６内には、多数の障害釘１８、風車２０、普通入賞口２２等が配設されている。遊技盤１０の遊技領域１６の最下部となる位置にはアウト穴２４が設けられており、その上方にはチューリップ型の可変入賞装置２６、２８が配設されている。
【００２３】
可変入賞装置２６、２８は、それぞれ一対の開閉部材３０、３２を備え、これら開閉部材３０、３２を閉じた状態（実線で図示）と開いた状態（破線で図示）とに変化する。普通、開閉部材３０、３２を閉じた状態では入賞し難く、これらを開くと開閉部材３０、３２が遊技球を導入するのできわめて入賞し易い状態となるのであるが、図示するように、下側の可変入賞装置２６の上方は封鎖釘群３４と可変入賞装置２８とによって封鎖された状態となっているので、開閉部材３０を閉じているときには入賞は不可能である。そして、可変入賞装置２６は、開閉部材３０を開いたときには、障害釘間に形成されている通過路３６からの遊技球のみを入賞させることができる。同様に、上側の可変入賞装置２８の直上には三角釘群３８が配され、左右にはガード釘群４０、４２が配されているので、可変入賞装置２８は、開閉部材３２を閉じているときには入賞不可能で、開閉部材３２を開いたときには、三角釘群３８とガード釘群４０、４２との間に形成されている通過路４４からの遊技球のみを入賞させることができる。
【００２４】
可変入賞装置２６と可変入賞装置２８とは周知の連動機構（周知であるので図示および説明を省略する）によって連動される構造で、下側の可変入賞装置２６に入賞すると上側の可変入賞装置２８が開放される。また、本実施例では、可変入賞装置２６、２８は、図示しないギヤ機構の設定により、開放後１０球目が入賞すると閉鎖する構造となっている。
【００２５】
可変入賞装置２８の上方、遊技盤１０のほぼ中央には条件装置としての図柄表示装置５０が配されている。図柄表示装置５０の前カバー５２には表示窓５４が設けられ、その表示窓５４の内側には互いに同じ形状の３つの回転ドラム５６、５８、６０が配されている。また、前カバー５２の裏面側には３箇所の入球口６２、６４、６６が設けられている。詳しくは後述するが、入球口６２、６４、６６に入球した遊技球は、破線の矢印で示されるように、それぞれ回転ドラム５６、５８、６０に対応した経路１１０（図１には示さない、図４、図５、図６および図７参照）で図柄表示装置５０の内部に導かれる。
【００２６】
図２に示すように、回転ドラム５６、５８、６０は、図柄表示装置５０の後カバー７０に保持されている。詳しくは、後カバー７０の左右の張出部７２、７４に設けられた凹部７６、７８に軸受８０、８２を介して保持されているドラム軸８４により回転自在に支持されている。
【００２７】
これら回転ドラム５６、５８、６０の胴５７の表面には図８に示される図柄１３０が描かれている。
図８に示すように、図柄１３０は、３つの回転ドラム５６、５８、６０に共通で、表示用図柄とされるＢＡＲ図柄１３２、７図柄１３４および果実図柄１３６と、各表示用図柄間に配されて予告図柄となる７縮図１４０、果実縮図１４２およびＢＡＲ縮図１４４とで構成されている。７縮図１４０はＢＡＲ図柄１３２の直下に描かれ、果実縮図１４２は７図柄１３４の直下に描かれ、ＢＡＲ縮図１４４は果実図柄１３６の直下に描かれており、図柄１３０（回転ドラム５６、５８、６０）が図８において下方から上方に向かって回転変位するときに、それぞれ次に現れる表示用図柄を予告する働きをする。
【００２８】
図２、図４、図５、図６および図７（図４、図５、図６および図７は回転ドラム５６を示しているが、回転ドラム５８、６０も同形状であるので回転ドラム５６で代表させる。図４、図５、図６および図７については以下同様）に示すように回転ドラム５６、５８、６０の胴５７には、互いに１２０度ずつ位相をずらして、３本の駆動突起５９が設けられ、各駆動突起５９に隣接して３箇所のロック溝６１が設けられている。また、回転ドラム５６、５８、６０の駆動突起５９側の側面（図２において左側の側面）には、互いに同形状のカム６３が設けられている。
【００２９】
図４、図５、図６および図７に示すように、カム６３は、第１カム面６５、第２カム面６７、第３カム面６９およびフラット部７１からなる略ハート形をしている。そして、図２、図４、図５、図６および図７に示すように、カム６３には球誘導アーム８６、８８、９０の駆動腕７３の先端に固着されたカムピン７５が当接されている。
【００３０】
図２、図３、図４、図５、図６および図７（図４、図５、図６および図７は球誘導アーム８６のみを図示）に示すように、球誘導アーム８６、８８、９０の下部には樋部９２、９４、９６が設けられている。樋部９２の内部は空洞で、図２および図３において左下がりの球誘導樋９２ａが形成されている。また、樋部９４、９６の内部も空洞になっていて、底側は球誘導樋９２ａと同様に左下がりの球誘導樋９４ａ、９６ａが形成されているが、その上方に横設された板により右下がりの上樋部９４ｂ、９６ｂも形成されている。さらに、各樋部９２、９４、９６の左側上部の立上部９２ｃ、９４ｃ、９６ｃの内部も空洞になっており、立上部９２ｃは球誘導樋９２ａに連通し、立上部９４ｃ、９６ｃはそれぞれ上樋部９４ｂ、９６ｂに連通している。
【００３１】
樋部９２は左側（樋部９６側）が開放されているので、樋部９２に流入した遊技球は樋部９６側に流出する。一方、樋部９４、９６は左右両側が開放されているので、上樋部９４ｂ、９６ｂに流入した遊技球はそれぞれ右側に流出し、球誘導樋９４ａ、９６ａに流入した遊技球はそれぞれ左側に流出することになる。
【００３２】
なお、球誘導アーム８６、８８、９０の構造は、これら樋部９２、９４、９６を除いては互いに同じ構造であるので、その同構造の部分については球誘導アーム８６に代表させ、回転ドラム５６、５８、６０の場合と同様に図４、図５、図６および図７を参照して説明する。
【００３３】
球誘導アーム８６、８８、９０の上端部には軸受７７が設けられ、この軸受７７を貫通する揺動軸７９を介して後カバー７０に支持されており、揺動軸７９を中心にして揺動自在である。また、図４、図５、図６および図７に示すように、樋部９２から軸受７７に至る湾曲部９３のほとんどは後カバー７０の背後に露出しており、その上端部９５のみが後カバー７０の穴９７から内側（前面側）に突出している。
【００３４】
図２および図３に示すように、後カバー７０の天井板９８の上面には、通路形成板１００、１０２が立設され、回転ドラム５６、５８の上方では通路形成板１００、１０２間に、回転ドラム６０の上方では通路形成板１００と後カバー７０の側板１０４間に、入球口６２、６４、６６（図１参照）に入球した遊技球を誘導するための通路１０６が形成されている。そして、図４、図５、図６および図７に示すように、この通路１０６に対応して、天井板９８に導入口１０８が設けられており、入球口６２に入球して経路１１０にて誘導された遊技球は、通路１０６から導入口１０８を通って後カバー７０の内側に落下する。なお、回転ドラム５８、６０に対応する経路１１０や導入口１０８の図示は省略しているが、それらもここで説明したものと同様である。
【００３５】
図２および図３に示すように、後カバー７０の背板１１３には、通路形成板１００、１０２の延長線に沿って内部樋形成板１１５、１１７が設けられており、内部樋形成板１１５、１１７間および内部樋形成板１１５と側板１０４間に内部樋１１６が形成されている。また、図３に示すように、内部樋１１６内には、内部樋形成板１１５に沿って誘導突起１１９が設けられている。図４、図５、図６および図７に示すように、これら内部樋形成板１１５および誘導突起１１９は円弧状の内周形状を持っている。内部樋形成板１１７の側面形状の図示は省略するが、内部樋形成板１１５と同形状をしている。そして、図４、図５、図６および図７に示されるように、内部樋形成板１１５、１１７と回転ドラム５６（５８、６０）の胴５７との距離は遊技球の半径程度であり、誘導突起１１９と胴５７との距離は遊技球の直径を少し上回っている（本実施例では直径の約１．３倍）。こうした構成により、導入口１０８から落下した遊技球は、内部樋１１６と回転ドラム５６、５８、６０との間に形成される通路に流入することになる。
【００３６】
図２および図３に示すように、後カバー７０の側板１０３、１０４間に横設されたロック揺動軸１１４には、３つのロック部材１１８が揺動自在に外嵌されている。各ロック部材１１８は、それぞれ回転ドラム５６、５８、６０に対応して配されている。ロック部材１１８の下側に延出されているロック腕１２０は、背板１１３に設けられた貫通穴１２１を通って背板１１３の背後側から前面側に出入りできる。このロック腕１２０は、各駆動突起５９およびロック溝６１の回転面の延長上に位置しており、図４、図５、図６および図７に示されるように、ロック腕１２０の先端部に設けられた係止溝１２２に駆動突起５９を挿通させ、先端の爪部１２４をロック溝６１に挿通させることで互いに係止状態となり、回転ドラム５６、５８、６０の回転を規制することができる。
【００３７】
また、内部樋１１６を通過する遊技球があれば、その遊技球がロック腕１２０に当たって押し上げるようにロック部材１１８を揺動させるので、ロック腕１２０と駆動突起５９およびロック溝６１との係止状態を解除することができる。さらに、その遊技球の荷重が駆動突起５９に掛かることにより、回転ドラム５６、５８、６０を図４、図５、図６および図７における反時計回り方向に回転させることができる（例えば図５参照）。
【００３８】
そして、図４、図５、図６および図７に示すように、回転ドラム５６、５８、６０が回転することによりカム６３も回転するので、カム６３とカムピン７５との相対位置も変動し、それに応じて球誘導アーム８６、８８、９０の揺動位置を前後に変動させることができる。
【００３９】
なお、カム６３、駆動突起５９およびロック溝６１と図柄１３０の相対位置は３つの回転ドラム５６、５８、６０とも同じにされていて、ロック腕１２０と駆動突起５９およびロック溝６１とが係止状態になったときには、いずれかの表示用図柄（ＢＡＲ図柄１３２、７図柄１３４、果実図柄１３６）が、回転ドラム５６、５８、６０の正面側中央に表示される（遊技者に対面する位置になる）。また、正面側中央に位置する表示用図柄とカム６３の回転角度すなわち球誘導アーム８６、８８、９０の揺動位置との関係も各回転ドラム５６、５８、６０とも同じで、例えば回転ドラム５６、５８でＢＡＲ図柄１３２が正面側中央に表示されたときには、球誘導アーム８６、８８の揺動位置は同じになり、樋部９２、９４が連通状態になる。したがって、回転ドラム５６、５８、６０とも、例えばＢＡＲ図柄１３２が正面側中央に表示されたときには、図２、図３および図１０に示されるように、樋部９２、９４、９６のすべてが連通状態になるが、いずれか１つの回転ドラム５６、５６、６０でも、正面側中央に表示される表示用図柄が他と違っていれば、例えば図１１〜図１３に示されるように樋部９２、９４、９６のすべてが連通状態になることはない。
【００４０】
図９に示すように、遊技盤１０の背面には、球誘導アーム８６、８８、９０の樋部９２、９４、９６を覆うようにして集合樋１５０が配されており、球誘導樋９２ａおよび上樋部９４ｂ、９６ｂから落下する遊技球を集めて、排出口１５２から排出する構成となっている。また、樋部９６の球誘導樋９６ａから排出される遊技球を誘導する特別樋１５４の流出端１５６は可変入賞装置２６に対応して開口されており、特別樋１５４を通過した遊技球は可変入賞装置２６に導入される構成である。
【００４１】
次に、この図柄表示装置５０や可変入賞装置２６、２８の動作を説明する。
パチンコ遊技が実行されて、いずれかの入球口６２、６４、６６に遊技球が入球すると、その遊技球は、経路１１０によって図柄表示装置５０の内部に導かれ、通路１０６から導入口１０８を通って後カバー７０の内側に落下し、内部樋１１６と回転ドラム５６、５８、６０との間に形成される通路に流入する（図４参照）。この遊技球は、ロック腕１２０に当たってこれを押し上げるように揺動させ、ロック腕１２０と駆動突起５９およびロック溝６１との係止状態を解除し（図４、図５参照）て回転ドラム５６、５８、６０を回動可能にする（図５参照）。遊技球がさらに内部樋１１６内を落下すると、その遊技球の荷重が駆動突起５９に掛かるので、回転ドラム５６、５８、６０が回転させられる（図５、図６参照）。なお、遊技球がロック腕１２０から外れると、ロック部材１１８は自身の荷重により下降側に揺動し、爪部１２４を胴５７に接触させる位置になる。
【００４２】
そして、回転ドラム５６、５８、６０が１／３回転すると、回動してきた駆動突起５９およびロック溝６１がロック腕１２０の先端部分に対応する位置になり、ロック腕１２０と駆動突起５９およびロック溝６１との係止状態が復活し、回転ドラム５６、５８、６０は回転を規制される（図６参照）。
【００４３】
この回転ドラム５６、５８、６０の回転に伴って、正面側中央に表示される表示用図柄が変更される。
また、この回転ドラム５６、５８、６０の回転に伴ってカム６３も回転するので、カム６３とカムピン７５との相対位置も変動し、それに応じて球誘導アーム８６、８８、９０の揺動位置が、例えば後ろ側に変動する（図４と図６を対比）。
【００４４】
このように回転ドラム５６、５８、６０を回転させた遊技球は、立上部９２ｃ、９４ｃ、９６ｃから球誘導樋９２ａあるいは上樋部９４ｂ、９６ｂに流入する（図６参照）。
さらに、いずれかの入球口６２、６４、６６に遊技球が入球すれば、上述と同様に回転ドラム５６、５８、６０が１／３回転し、正面側中央に表示される表示用図柄が変更される。そして、カムピン７５の当接位置が、第１カム面６５、第２カム面６７、第３カム面６９と変化するに応じて、球誘導アーム８６、８８、９０の揺動位置が後ろ側に変動し、回転ドラム５６、５８、６０が図７に示される回転角度から図４に示される回転角度になった際には、カムピン７５がフラット部７１に沿って第１カム面６５に戻るので、球誘導アーム８６、８８、９０は前進位置に戻る。
【００４５】
このようにして、回転ドラム５６、５８、６０の回転に伴って表示される表示用図柄が変更され、球誘導アーム８６、８８、９０の揺動位置が変動する。
回転ドラム５６、５８、６０がこのように回転変位すると、あるときに回転ドラム５６、５８、６０とも、同じ表示用図柄例えばＢＡＲ図柄１３２が正面側中央に表示されることがある。このときには、球誘導アーム８６、８８、９０の揺動位置が揃うので、図２、図３および図１０に示されるように、樋部９２、９４、９６のすべてが連通状態になる。すると、図１０に示されるように、樋部９２、９４、９６内に一連の特別通路Ｓが形成される。図１０に示すところから明らかなように、特別通路Ｓが形成されると、例えば樋部９６に流入した遊技球は上樋部９６ｂ、９４ｂを通って樋部９２に流入し、球誘導樋９２ａ、９４ａ、９６ａによって導かれて、球誘導樋９６ａから排出される。同様に、樋部９２、９４に流入した遊技球も特別通路Ｓにより球誘導樋９６ａから排出される。この樋部９６の球誘導樋９６ａから排出された遊技球は、特別樋１５４によって可変入賞装置２６に導入され、可変入賞装置２６を開放状態にする（開閉部材３０を開かせる）ので、これに連動して可変入賞装置２８も開放状態になる（開閉部材３２が開く）。
【００４６】
すると、通過路４４からの遊技球が可変入賞装置２８に入賞可能となる。そして、可変入賞装置２８に１０球の遊技球が入賞すると可変入賞装置２８は一旦閉鎖される。
しかし、可変入賞装置２６は開放状態であるので、可変入賞装置２８が閉鎖された結果、右側のガード釘群４２と可変入賞装置２８との間を遊技球が通過できるようになり、そこを通過した遊技球が通過路３６から可変入賞装置２６に入賞できる。そして、可変入賞装置２６に入賞すると、再び可変入賞装置２８も開放状態になり、そこに１０球の遊技球が入賞すると可変入賞装置２８が閉鎖され、可変入賞装置２６に入賞すると可変入賞装置２８が開放されることが繰り返されるが、可変入賞装置２６は、１０回作動すると（特別樋１５４によって導入された分も含めて１０球が入賞すると）閉鎖状態に戻る。したがって、可変入賞装置２８には１０Ｘ１０＝１００球の入賞が見込まれ、可変入賞装置２６の１０球の入賞と合わせて１１０球の入賞が見込まれるから、１入賞当たりの賞球数を１５球とすれば１６５０個の賞球を獲得できる。これにより、従来のマイクロコンピュータによって大当たりを判定して、大当たり時には例えば大入賞口を繰り返し開放する形式の弾球遊技機と同等の大当たりゲームを実行することができる。
【００４７】
一方、回転ドラム５６、５８、６０が前述のように回転変位しても、表示される表示用図柄が揃わないときには、球誘導アーム８６、８８、９０の揺動位置も揃わないので、例えば図１１、図１２あるいは図１３に例示されるように、樋部９２、９４、９６のすべてが連通状態になることはない。
【００４８】
図１１の例では、樋部９２、９４、９６の位置が全くばらばらなので、例えば樋部９６に流入した遊技球は上樋部９６ｂから外部に落下し、樋部９４に流入した遊技球は上樋部９４ｂから外部に落下し、樋部９２に流入した遊技球は球誘導樋９２ａから外部に落下する。これらの遊技球は、集合樋１５０を経て排出口１５２から排出され、例えば普通入賞口２２に入賞した遊技球等と同様に扱われる。
【００４９】
また、図１２または図１３に示す例では、樋部９２、９４、９６の内の２つが連通しているが、特別通路Ｓが形成されるに至っていないので、各樋部９２、９４、９６に流入した遊技球は、上樋部９６ｂ、上樋部９４ｂあるいは球誘導樋９２ａから外部に落下してしまい、図１１の例と同様に集合樋１５０を経て排出口１５２から排出される。
【００５０】
なお、図１３に示される状態は、あと一つの樋部９６が残りの２つと連通する位置になれば（球誘導アーム９０が１ピッチ後退すれば）よいわけで、従来の弾球遊技機におけるリーチに相当する状態といえる。このようなリーチ状態は、図１３に例示される場合ばかりでなく、さまざまに出現する。また、図１２に示される例では、樋部９２が残りの２つと連通する位置になるには、球誘導アーム８６が２ピッチ変動する必要がある。
【００５１】
遊技者としては、このようなリーチ状態になったか否かが大いに気にかかるし、リーチ状態になったときには、どの回転ドラム５６、５８、６０を回転させればよいかが気になるところである。ところが、本実施例の場合には図８に示されるように、各表示用図柄の直下に次に表示される表示用図柄を予告する予告図柄が配されているので、この予告図柄と他の２つの揃っている表示用図柄とを見比べれば、あと１回の変化で当たりになるか否かが判る。そして、リーチ状態ならあと１球を狙えばよいし、２つの表示用図柄が揃っていてもリーチ状態でなければ、残った回転ドラム５６、５８、６０のどれか一つを集中的に狙えばよいわけで、遊技者を熱中させることにもなる。
【００５２】
以上のように、本実施例の図柄表示装置５０を備えるパチンコ機では、いずれかの入球口６２、６４、６６に遊技球が入球する毎に、入球した入球口６２、６４、６６に対応する回転ドラム５６、５８、６０が１／３回転して、回転ドラム５６、５８、６０の表示用図柄の表示が変更される。そして、回転ドラム５６、５８、６０の表示用図柄が揃った際には、球誘導アーム８６、８８、９０の揺動位置が揃い、樋部９２、９４、９６が相互に連通状態になって一連の特別通路Ｓが形成される。このときに特別通路Ｓ（いずれかの樋部９２、９４、９６）に流入した遊技球は、球誘導樋９６ａから排出され、特別樋１５４によって可変入賞装置２６に導入され、可変入賞装置２６を開放状態にするので、可変入賞装置２６と可変入賞装置２８の連携によって従来の弾球遊技機における大当たりと同等の遊技状態となる。
【００５３】
すなわち、機械的な動作だけで大当たり状態を創出できるから、例えばマイクロコンピュータのような電気的な構成は必要としない。しかも、遊技者は、表示用図柄の位置によって回転ドラム５６、５８、６０の回転角度を知ることができるから、当たり状態に至るまでの経過を知ることができ、また当たり状態になったことも明瞭に確認できる。よって、この図柄表示装置５０の動作に対して遊技者が不信感を抱くおそれもない。したがって、弾球遊技機における当たりの抽選に対する遊技者の不信感を解消することができ、また弾球遊技機の電気的な構成の簡素化を図ることができる。
【００５４】
さらに、回転ドラム５６、５８、６０は、遊技球１球毎に１２０度ずつ一定方向に回転駆動されるので、遊技者は、どの回転ドラム５６、５８、６０が何回変動すれば当たり状態になるか（あと何球必要か）が判り、その回転ドラム５６、５８、６０を変動させるべく狙って遊技球を発射することができるので、弾球遊技の興趣を向上させることができる。特に、あと１回の変動で当たり状態になるリーチのときには、予告図柄の働きによってそれを明確にできるから、その効果は大きい。
【００５５】
なお、本発明はこのような実施例に限定されるものではなく、本発明の要旨を逸脱しない範囲でさまざまに実施できることは言うまでもない。
【００５６】
【変形例】
例えば、図柄表示装置（条件装置）への遊技球の入口として振分装置を用いることもできる。図１４に示すのは、その一例である。
図１４に示すように、この例では、条件装置としての図柄表示装置５０ａ（構造は実施例の図柄表示装置５０とほぼ同様であるので、詳細の説明は省略する）の上方に、俗にクルーンと呼ばれる構造の振分装置２００が設置されている。この振分装置２００の頂部には入球口２０２が設けられ、内部には振分皿２０４が設けられている。
【００５７】
この振分皿２０４は、図１５に示されるように、中央部と外周部が高くなって、その中間部分に溝状部２０５が形成されており、溝状部２０５に３箇所の落下穴２０６ａ、２０６ｂ、２０６ｃが設けられている。このため、入球口２０２から振分皿２０４上に流入してきた遊技球は、溝状部２０５を周回するように移動し、その後いずれかの落下穴２０６ａ、２０６ｂ、２０６ｃから落下する。この例では、落下穴２０６ａに落下した遊技球は回転ドラム５６に対応する通路に流入し、落下穴２０６ｂに落下した遊技球は回転ドラム５８に対応する通路に流入し、落下穴２０６ｃに落下した遊技球は回転ドラム６０に対応する通路に流入する構造である。そして、実施例と同様に、それらの遊技球によって回転ドラム５６、５８、６０が回転駆動される。
【００５８】
この振分装置２００を備えた場合、実施例と同様の効果を発揮できるが、振分装置２００によってどの回転ドラム５６、５８、６０に遊技球が振分けられるかは予測できないので、例えばリーチ状態になった際の狙い打ちはできなくなる。しかし、その反面、当たりが発生するかしないか（表示用図柄が揃うか否か）が、まったくランダムになるという利点がある。
【００５９】
【実施例２】
この例は回転ドラムを上下に配置する例である。
まず図１６を参照して、本実施例における弾球遊技機としてのパチンコ機の遊技盤２１０の構成を説明する。なお、パチンコ機本体（遊技盤２１０以外）の構成は周知技術に従っているので図示および説明を省略する。
【００６０】
この遊技盤２１０では、周知の遊技盤と同様に、外ガイドレール２１２と内ガイドレール２１４にて囲まれる部分に遊技領域２１６が形成される。遊技領域２１６内には、多数の障害釘２１８、風車２２０、普通入賞口２２２、チューリップ型の可変入賞装置２２３等が配設され、遊技領域２１６の最下部となる位置にはアウト穴２２４が設けられている。
【００６１】
遊技盤２１０のほぼ中央には条件装置としての図柄表示装置２５０が配されており、その右側及び右下方にはチューリップ型の可変入賞装置２２６、２２８が配設され、アウト穴２２４の上方にはチューリップ型の可変入賞装置２２９が配設されている。
【００６２】
可変入賞装置２２６、２２８、２２９は、それぞれ一対の開閉部材２３０、２３２、２３３を備え、これら開閉部材２３０、２３２、２３３を起てた閉状態（図示の状態）と左右に倒した開状態とに変化する。普通、閉状態では入賞し難く開状態になると開閉部材２３０、２３２、２３３が遊技球を導入するのできわめて入賞し易い状態となるのであるが、図示するように、可変入賞装置２２６、２２８の上方は障害釘２１８によって封鎖された状態となっているので、可変入賞装置２２６、２２８は、閉状態では入賞不可能である。ただし、開状態では、開閉部材２３０、２３２が遊技球を側方から導入するので容易に入賞できる。
【００６３】
なお、可変入賞装置２２６、２２８は、開状態になってから７個の遊技球が入賞すると閉状態に戻り、可変入賞装置２２９は、同じく５個の遊技球が入賞すると閉状態に戻る構造である。
また、可変入賞装置２２６と可変入賞装置２２８とは図２５に示される連動機構によって連動される構造である。
【００６４】
図２５に示すように、遊技盤２１０の背面では、図柄表示装置２５０の下方に球分別樋３９０が配されており、ここから大当誘導樋２４１、小当誘導樋２４２及び外れ誘導樋２４３が分かれ、図柄表示装置２５０の横には側方誘導樋２４４が配されている。球分別樋３９０における大当誘導樋２４１、小当誘導樋２４２及び外れ誘導樋２４３への遊技球の流入については後述するが、小当誘導樋２４２を通過した遊技球は可変入賞装置２２９を開状態にさせる。一方、大当誘導樋２４１を通過する遊技球は駆動レバー２４５を押し下げる。すると、駆動レバー２４５が伝達レバー２４６を押上げ、それによって可変入賞装置２２８が開状態にされる。開状態になった可変入賞装置２２８に入賞した遊技球は側方誘導樋２４４を通過するが、その際に駆動レバー２４７を押し下げる。すると、駆動レバー２４７が伝達レバー２４８を押上げ、それによって可変入賞装置２２６が開状態にされる。
【００６５】
図１６に示すように、遊技盤２１０のほぼ中央に配されている図柄表示装置２５０の前カバー２５２には表示窓２５４が設けられ、その表示窓２５４の内側に上回転ドラム２５６及び下回転ドラム２５８が上下に配されている。図１９〜２３に示すように、上回転ドラム２５６及び下回転ドラム２５８は断面形状が正三角形である。上回転ドラム２５６の１つの面には図２４（ａ）に示される７図柄２５７ａとベル縮図２５７ｂからなる第１図柄２５７が、次の面には図２４（ｂ）に示されるベル図柄２５９ａとチェリー縮図２５９ｂからなる第２図柄２５９が、残りの面には図２４（ｃ）に示されるチェリー図柄２６１ａと７縮図２６１ｂからなる第３図柄２６１が、それぞれ描かれている。また、下回転ドラム２５８の各面には、上回転ドラム２５６とは逆になる順序で、第１図柄２５７、第２図柄２５９及び第３図柄２６１が描かれている。
【００６６】
詳しくは後述するが、上回転ドラム２５６及び下回転ドラム２５８は１２０度単位で回転位置を変化させ、その回転位置により、第１図柄２５７、第２図柄２５９及び第３図柄２６１のいずれかが遊技者に対面する位置になる。また、７図柄２５７ａ、ベル図柄２５９ａ及びチェリー図柄２６１ａは実施例１と同様に表示用図柄とされる。ベル縮図２５７ｂ、チェリー縮図２５９ｂ及び７縮図２６１ｂは予告用図柄であり、それぞれ次に現れる表示用図柄を予告する働きをする。
【００６７】
図１７に示すように、前カバー２５２の裏面側には入球口２６２が設けられており、入球口２６２に入球した遊技球Ｂは、振分機構部２６３によって、入球口２６２の奥側に開口している無効穴２６４あるいは下方の左右に開口している左有効穴２６６または右有効穴２６８のいずれかに誘導される。振分機構部２６３は、図柄表示装置２５０の背面側に取付けられているモータ２７０とモータ２７０にて回転駆動されて入球口２６２の下方で回転する回転体２７２とによって構成されている。回転体２７２の切欠面２７３が上側に位置するときには、遊技球Ｂは奥側へ低く傾斜した切欠面２７３上を通って無効穴２６４に導かれ、切欠面２７３が横や下に位置していて遊技球Ｂが切欠面２７３上を通れないときには、入球口２６２に入球した遊技球Ｂは左有効穴２６６または右有効穴２６８に導かれる。
無効穴２６４に流入した遊技球Ｂは、図示しない裏機構盤に排出され、図柄表示装置２５０の動作には関与しない。一方、左有効穴２６６に流入した遊技球Ｂは、図１９に示されるように図柄表示装置２５０の内部に設けられている左誘導路２６７によって誘導されて、同様に右有効穴２６８に流入した遊技球Ｂは、図２０〜２３に示されるように図柄表示装置２５０の内部に設けられている右誘導路２６９によって誘導されて、詳細は後述するが図柄表示装置２５０を動作させる。
【００６８】
次に、図柄表示装置２５０を動作させるための構成を説明する。
図１８〜２３に示すように、後枠２８０の上縁に沿ってロック揺動軸２８２が取付けられており、ロック揺動軸２８２により、正面から見て（図１８に示される状態で）左端部には左第１ロック腕２８４と左第２ロック腕２８６が、同じく右端部には右第１ロック腕２８８と右第２ロック腕２９０が、それぞれロック揺動軸２８２を中心に揺動自在に軸支されている。
【００６９】
図１９に示すように左第１ロック腕２８４には、係止突起２９２が設けられており、左第２ロック腕２８６に立設された係止ピン２９４を係止している。このため、左第１ロック腕２８４が図１９における時計回り方向に揺動する際には、係止突起２９２にて係止ピン２９４を押し上げるので、左第２ロック腕２８６も時計回りに揺動する。
【００７０】
また、ロック揺動軸２８２と平行に配されている揺動軸２９６が左第１ロック腕２８４及び左第２ロック腕２８６の陥没部２９８を貫通しており、揺動軸２９６の外筒３０２により左第１ロック腕２８４及び左第２ロック腕２８６の反時計回り方向の揺動が規制されている。この揺動軸２９６は、変位部材に該当する球誘導アーム３００を揺動自在に軸支している。
【００７１】
図１８及び図１９に示すように、変位部材としての球誘導アーム３００の下部には上樋３０４と下樋３０６を有する樋部３０８が設けられており、図１９に示すように、樋部３０８と揺動軸２９６との間には誘導突起３１０が設けられている。さらに、図１９に示すように、樋部３０８からは駆動腕３１２が延出されており、その先端にはカムピン３１４が固着されている。カムピン３１４は、第１カム面３１６、第２カム面３１８、第３カム面３２０および第４カム面３２２を有するカム３２４に当接している。
【００７２】
図１８及び図１９に示すように、カム３２４はドラムホイール３２６に連設されており、ドラムホイール３２６には１２０度ピッチで駆動片３２８が設けられている。カム３２４の回転中心及びドラムホイール３２６の中心を下段ドラム軸３３０が貫通しており、カム３２４及びドラムホイール３２６は下段ドラム軸３３０を中心にして共回りする。また、下段ドラム軸３３０は下回転ドラム２５８の中心部を貫通しており、下回転ドラム２５８はカム３２４及びドラムホイール３２６と共回りする。
【００７３】
図１９に示すように、ドラムホイール３２６の駆動片３２８は、通常は左第２ロック腕２８６の下端部に形成されている爪部３３２により係止され、それによってドラムホイール３２６の回転が阻まれている。
ところが、入球口２６２に入球した遊技球Ｂが、左有効穴２６６に導かれて左誘導路２６７を流下してくると、これが左第１ロック腕２８４を押し上げるので、係止突起２９２にて係止ピン２９４を押し上げられた左第２ロック腕２８６が左第１ロック腕２８４と共に時計回りに揺動する。すると、爪部３３２による駆動片３２８の係止が解除され、ドラムホイール３２６が回転可能になる。左第１ロック腕２８４を押し上げた遊技球Ｂは、駆動片３２８上に乗り、その荷重にてドラムホイール３２６を下方、すなわち図の反時計回りに回転させる。
【００７４】
遊技球Ｂが左第１ロック腕２８４から離脱すると、左第１ロック腕２８４及び左第２ロック腕２８６は揺動前の位置に復帰するが、そのときにはドラムホイール３２６が回転しているので、爪部３３２が駆動片３２８を係止してドラムホイール３２６の回転を阻むことはない。ただし、ドラムホイール３２６が約１２０度回転すると、次の駆動片３２８が爪部３３２に係止されるので、ドラムホイール３２６の回転はそこで止められる。また、ドラムホイール３２６を回転させた遊技球Ｂは、駆動片３２８から落下して樋部３０８の上樋３０４に流入する。
【００７５】
すなわち、左有効穴２６６を遊技球Ｂが１球通過する毎に、ドラムホイール３２６が１２０度回転する。それに伴って下回転ドラム２５８が１２０度回転し、第１図柄２５７→第２図柄２５９→第３図柄２６１と表示用図柄を変化させる。また、ドラムホイール３２６の回転に伴ってカム３２４が回転し、駆動腕３１２のカムピン３１４との当接位置を変化させる。そのカム３２４とカムピン３１４との当接位置の変化に応じて駆動腕３１２が下段ドラム軸３３０から離れたり接近したりするので、球誘導アーム３００が前後に揺動位置を変化させ樋部３０８の揺動位置も変化する。
【００７６】
詳しくは、カムピン３１４が第１カム面３１６に接しているときには樋部３０８は最も手前側（遊技者側）の手前位置になり、そこからカム３２４が１２０度回転してカムピン３１４が第２カム面３１８に移動した際には樋部３０８は手前位置から後退した中間位置になり、次にカム３２４が１２０度回転するとカムピン３１４が第３カム面３２０に移動して樋部３０８は中間位置から後退した後方位置になる。さらにカム３２４が１２０度回転するとカムピン３１４は第４カム面３２２に移動して樋部３０８は後退位置から中間位置に戻り、次のカム３２４の回転でカムピン３１４は第１カム面３１６に戻り、樋部３０８も手前位置に戻る。このように、球誘導アーム３００（樋部３０８）は、ドラムホイール３２６の回転に伴って揺動位置を往復変化させる。なお、球誘導アーム３００（樋部３０８）が手前位置にあるときには、下回転ドラム２５８の表示用図柄として第１図柄２５７（７図柄２５７ａ）が表示される設定である。
【００７７】
次に、上回転ドラム２５６を回転駆動するための機構を説明する。
図２０〜２３に示すように、右第１ロック腕２８８と右第２ロック腕２９０は、それぞれ左第１ロック腕２８４、左第２ロック腕２８６と同様で、右第１ロック腕２８８には係止突起３３６が、右第２ロック腕２９０には係止ピン３３８が立設されており、右第１ロック腕２８８が図２０〜２３における反時計回り方向に揺動する際には、係止突起３３６にて係止ピン３３８を押し上げ、右第２ロック腕２９０を反時計回りに揺動させる。また、揺動軸２９６が右第１ロック腕２８８及び右第２ロック腕２９０の陥没部３４０を貫通しており、揺動軸２９６の外筒３０２により右第１ロック腕２８８及び右第２ロック腕２９０の時計回り方向の揺動が規制されている。
【００７８】
揺動軸２９６は、変位部材に該当する球誘導アーム３５０を揺動自在に軸支している。
図１８及び図２０〜２３に示すように、球誘導アーム３５０の下部には樋３５２を有する樋部３５４が設けられており、図２０〜２３に示すように、樋部３５４と揺動軸２９６との間には誘導突起３５６が設けられている。さらに、図２０〜２３に示すように、樋部３５４からは駆動腕３５８が延出されており、その先端にはカムピン３６０が固着されている。カムピン３６０は、上述した左側のカム３２４と対称形で第１カム面３６２、第２カム面３６４、第３カム面３６６および第４カム面３６８を有するカム３７０に当接している。
【００７９】
図１８及び図２０〜２３に示すように、カム３７０はドラムホイール３７２に連設されており、ドラムホイール３７２には１２０度ピッチで駆動片３７４が設けられている。カム３７０の回転中心及びドラムホイール３７２の中心を下段ドラム軸３３０が貫通しており、カム３７０及びドラムホイール３７２は下段ドラム軸３３０を中心にして共回りする。さらに、ドラムホイール３７２には第１歯車３７６が連設されており、この第１歯車３７６もカム３７０及びドラムホイール３７２と共回りする。ただし、これらカム３７０、ドラムホイール３７２及び第１歯車３７６は下段ドラム軸３３０とも、下回転ドラム２５８とも固着はされておらず、下段ドラム軸３３０に対し、自由に回転が可能である。つまり、これらのカム３７０、ドラムホイール３７２及び第１歯車３７６は、互いに一体に回転可能であるが、カム３７０、ドラムホイール３７２及び第１歯車３７６は下回転ドラム２５８とは共回りしない。
【００８０】
上回転ドラム２５６は、下段ドラム軸３３０と平行な上段ドラム軸３７８を中心にして回転自在であり、上段ドラム軸３７８は第１歯車３７６と歯合する第２歯車３８０の中心を貫通している。したがって、第２歯車３８０は第１歯車３７６と連動回転するが、その回転方向は互いに逆向きとなる。また、第２歯車３８０と上回転ドラム２５６とは共回りするので、第１歯車３７６を回転させることによって上回転ドラム２５６を回転させることができる。
【００８１】
図２０、２２、２３に示すように、ドラムホイール３７２の駆動片３７４は、通常は右第２ロック腕２９０の下端部に形成されている爪部３８２により係止され、それによってドラムホイール３７２の回転が阻まれている。
ところが、入球口２６２に入球した遊技球Ｂが、右有効穴２６８に導かれて右誘導路２６９を流下してくると、これが右第１ロック腕２８８を押し上げるので、係止突起３３６にて係止ピン３３８を押し上げられた右第２ロック腕２９０が右第１ロック腕２８８と共に反時計回りに揺動する。すると、爪部３８２による駆動片３７４の係止が解除され、ドラムホイール３７２が回転可能になる。右第１ロック腕２８８を押し上げた遊技球Ｂは、駆動片３７４上に乗り、その荷重にてドラムホイール３７２を回転させる。
【００８２】
遊技球Ｂが右第１ロック腕２８８から離脱すると、右第１ロック腕２８８及び右第２ロック腕２９０は揺動前の位置に復帰するが、そのときにはドラムホイール３７２が回転しているので、爪部３８２が駆動片３７４を係止してドラムホイール３７２の回転を阻むことはない。ただし、ドラムホイール３７２が約１２０度回転すると、次の駆動片３７４が爪部３８２に係止されるので、ドラムホイール３７２の回転はそこで止められる。ドラムホイール３７２が回転すると第１歯車３７６が回転するので、それに連動して第２歯車３８０が回転し上回転ドラム２５６が１２０度回転する。また、ドラムホイール３７２を回転させた遊技球Ｂは、駆動片３７４から落下して樋部３５４に流入する。
【００８３】
すなわち、右有効穴２６８を遊技球Ｂが１球通過する毎に、ドラムホイール３７２が１２０度回転する。それに伴って上回転ドラム２５６が１２０度回転し、第１図柄２５７→第２図柄２５９→第３図柄２６１と表示用図柄を変化させる。また、ドラムホイール３７２の回転に伴ってカム３７０が回転し、駆動腕３５８のカムピン３６０との当接位置を変化させる。そのカム３７０とカムピン３６０との当接位置の変化に応じて駆動腕３５８が下段ドラム軸３３０から離れたり接近したりするので、球誘導アーム３５０が前後に揺動位置を変化させ樋部３５４の揺動位置も変化する。
【００８４】
詳しくは、カムピン３６０が第１カム面３６２に接しているときには樋部３５４は最も手前側（遊技者側）の手前位置になり、そこからカム３７０が１２０度回転してカムピン３６０が第２カム面３６４に移動した際には樋部３５４は手前位置から後退した中間位置になり、次にカム３７０が１２０度回転するとカムピン３６０が第３カム面３６６に移動して樋部３５４は中間位置から後退した後方位置になる。さらにカム３７０が１２０度回転するとカムピン３６０は第４カム面３６８に移動して樋部３５４は後退位置から中間位置に戻り、次のカム３７０の回転でカムピン３６０は第１カム面３６２に戻り、樋部３５４も手前位置に戻る。このように、球誘導アーム３５０（樋部３５４）は、ドラムホイール３７２の回転に伴って揺動位置を往復変化させる。なお、球誘導アーム３５０（樋部３５４）が手前位置にあるときには、上回転ドラム２５６の表示用図柄として第１図柄２５７（７図柄２５７ａ）が表示される設定である。
【００８５】
さて、上述のように球誘導アーム３００（樋部３０８）及び球誘導アーム３５０（樋部３５４）が前後に揺動変位すると、球誘導アーム３００、３５０の揺動位置が揃って（例えば両方とも手前位置になって）、図２６（ａ）に示されるように、樋部３０８の下樋３０６と樋部３５４の樋３５２とが連続したり、また球誘導アーム３００、３５０の揺動位置が揃わずに、図２６（ｂ）に示されるように、樋部３０８の下樋３０６と樋部３５４の樋３５２とが不連続になったりする。樋部３０８の下樋３０６と樋部３５４の樋３５２とが連続した場合は大当たりまたは小当たりであり、樋部３０８に流入した遊技球Ｂは上樋３０４から下樋３０６と樋３５２との接続部付近に落下し、下樋３０６から落下する。
【００８６】
球誘導アーム３００、３５０の揺動位置が両方とも手前位置に揃った場合は大当たりであり、その際には上回転ドラム２５６、下回転ドラム２５８とも第１図柄２５７（７図柄２５７ａ）が表示されて、遊技者に大当たりを示す。また、球誘導アーム３００、３５０の揺動位置が中間位置または後退位置で揃った場合は小当たりであり、その際には上回転ドラム２５６、下回転ドラム２５８とも第２図柄２５９（ベル図柄２５９ａ）または第３図柄２６１（チェリー図柄２６１ａ）が表示されて、遊技者に小当たりを示す。また、球誘導アーム３００、３５０の揺動位置が揃わなければ外れであり、上回転ドラム２５６と下回転ドラム２５８の図柄は異なり、遊技者に外れを示す。
【００８７】
大当たりの場合、図２７（ａ）に示すように、下樋３０６からの落下位置が、球分別樋３９０の大当誘導樋２４１に通ずる大当たりゾーン３９２になり、下樋３０６から落下した遊技球Ｂは大当誘導樋２４１に流入する。
小当たりの場合、例えば図２７（ｂ）に示すように、下樋３０６からの落下位置が、球分別樋３９０の小当誘導樋２４２に通ずる小当たりゾーン３９４になり、下樋３０６から落下した遊技球Ｂは小当誘導樋２４２に流入する。
【００８８】
外れの場合には、図２７（ｃ）に示されるように、樋部３０８に流入した遊技球Ｂは上樋３０４から落下し樋部３５４に流入した遊技球も樋３５２から落下するので、遊技球が下樋３０６を通過することはない。そして、図２７（ｃ）に示すように、上樋３０４からの落下位置及び樋３５２からの落下位置が、共に球分別樋３９０の外れ誘導樋２４３に通ずる外れゾーン３９６になり、上樋３０４及び樋３５２から落下した遊技球Ｂは外れ誘導樋２４３に流入する。
【００８９】
上述したように、小当誘導樋２４２を通過した遊技球は可変入賞装置２２９を開状態にさせ、大当誘導樋２４１を通過する遊技球は駆動レバー２４５を押し下げることにより、可変入賞装置２２８を開状態にする。しかし、外れ誘導樋２４３に流入した遊技球は、そのまま下方に排出される。
【００９０】
以上のように、本実施例の図柄表示装置２５０を備えるパチンコ機では、入球口２６２に入球した遊技球が左有効穴２６６を通過する毎に、下回転ドラム２５８が１／３回転して回転ドラム２５８の表示用図柄の表示が変更され、右有効穴２６８を通過する毎に、上回転ドラム２５６が１／３回転して上回転ドラム２５６の表示用図柄の表示が変更される。
【００９１】
そして、上回転ドラム２５６と下回転ドラム２５８の表示用図柄が７図柄２５７ａで揃った際には、球誘導アーム３００、３５０の揺動位置が手前位置で揃い、下樋３０６と樋３５２が連通状態になって一連の特別通路Ｓが形成される。このときに特別通路Ｓに流入した遊技球は、下樋３０６から大当たりゾーン３９２に落下し大当誘導樋２４１に流入する。大当誘導樋２４１を通過する遊技球は、駆動レバー２４５を押し下げることにより、可変入賞装置２２８を開状態にする。開状態になった可変入賞装置２２８に入賞した遊技球は側方誘導樋２４４を通過するが、その際に駆動レバー２４７を押し下げることによって可変入賞装置２２６を開状態にする。
【００９２】
可変入賞装置２２８及び可変入賞装置２２６はそれぞれ７個の入賞があると閉状態に戻るが、例えば可変入賞装置２２６に７個入賞させてこれを閉状態にしてから可変入賞装置２２８に１個入賞させれば再び可変入賞装置２２６か開状態になる。このように、まず可変入賞装置２２６への入賞を図り、可変入賞装置２２６が閉状態になったところで可変入賞装置２２８に入賞させるように狙えば、可変入賞装置２２６と可変入賞装置２２８の連携によって従来の弾球遊技機における大当たりと同等の遊技状態となり多量の賞球を獲得できる。
【００９３】
また、上回転ドラム２５６と下回転ドラム２５８の表示用図柄がベル図柄２５９ａまたはチェリー図柄２６１ａで揃った際には、球誘導アーム３００、３５０の揺動位置が中間位置または後退位置で揃い、下樋３０６と樋３５２が連通状態になって一連の特別通路Ｓが形成される。このときに特別通路Ｓに流入した遊技球は、下樋３０６から小当たりゾーン３９４に落下し小当誘導樋２４２に流入する。小当誘導樋２４２を通過した遊技球は可変入賞装置２２９を開状態にする。可変入賞装置２２９は他の可変入賞装置と連動するわけではないから、可変入賞装置２２９が開状態になったときの賞球数は、可変入賞装置２２８が開状態にされたときと比べれば少ないが、５個の入賞は確実であるから小当たりといえる。
【００９４】
このように機械的な動作だけで大当たり状態及び小当たり状態を創出できるから、例えばマイクロコンピュータのような電気的な構成は必要としない。
しかも、遊技者は、表示用図柄の位置によって上回転ドラム２５６及び下回転ドラム２５８の回転角度を知ることができるから、当たり状態に至るまでの経過を知ることができ、また当たり状態になったことも明瞭に確認できる。よって、この図柄表示装置２５０の動作に対して遊技者が不信感を抱くおそれもない。したがって、弾球遊技機における当たりの抽選に対する遊技者の不信感を解消することができ、また弾球遊技機の電気的な構成の簡素化を図ることができる。
【００９５】
さらに、上回転ドラム２５６は右有効穴２６８を通過した遊技球１球毎に１２０度ずつ下向きに回転駆動され、下回転ドラム２５８は、左有効穴２６６を通過した遊技球１球毎に１２０度ずつ上向きに回転駆動されるので、遊技者は、上回転ドラム２５６または下回転ドラム２５８が何回変動すれば当たり状態になるかが判る。
【００９６】
しかし、入球口２６２に入球した遊技球が左有効穴２６６、右有効穴２６８あるいは無効穴２６４にいずれに誘導されるかはランダムであり、入球口２６２に入球しても上回転ドラム２５６と下回転ドラム２５８のどちらが変動するか、あるいはどちらも変動しないかを予測できなから、遊技者の思惑通りに上・下回転ドラム２５６、２５８を回転させることは困難であり、狙い打ちによって図柄を揃えることはできない。そして、当たりが発生するかしないか（表示用図柄が揃うか否か）もランダムであり、遊技者の技量によらない遊技が可能になる。
【００９７】
また、図柄表示装置２５０の構造面では、上下方向の動力伝達機構（実施例２では第１歯車３７６と第２歯車３８０）が設けられているので、回転ドラムを上下に配設することが可能である。そのため、図柄表示装置２５０の左右間の幅寸法が単体の回転ドラム（上回転ドラム２５６、下回転ドラム２５８）の幅寸法により概ね決定される。したがって、図柄表示装置２５０の設計自由度が高く、必要に応じて容易に図柄表示装置２５０の大型化あるいは小型化を行うことができる。
【００９８】
特に、上回転ドラム２５６を回転させるためのドラムホイール３７２と下回転ドラム２５８を回転させるためのドラムホイール３２６とを共通の回転軸（下段ドラム軸３３０）により支持し、ドラムホイール３７２の回転力を上下方向動力伝達機構を介して上回転ドラム２５６に伝達しているので、図柄表示装置２５０の内部の樋や球誘導アーム３００、３５０を左右ほぼ対称に形成することができる。したがって、無駄なスペースを生じ難く、図柄表示装置２５０の小型化が容易である。
【００９９】
すなわち、上下方向動力伝達機構は、下段に配されたドラムホイール３７２の回転力を上段の上回転ドラム２５６に伝達するものであるので、本実施例のような歯車あるいはリンク機構のように簡単な構成を採用できる。したがって、上下方向動力伝達機構に、形状や機能が複雑な部品を用いる必要はなく、上下方向動力伝達機構の小型化及び各部品の薄肉化が容易である。そして、この結果、内部の樋や球誘導アーム３００、３５０を整然と配設でき、図柄表示装置２５０の小型化が容易になる。
【図面の簡単な説明】
【図１】  実施例１のパチンコ機の遊技盤の正面図である。
【図２】  実施例１の図柄表示装置の内部構造の正面説明図である。
【図３】  図２の状態から回転ドラムを撤去した状態の説明図である。
【図４】  実施例１の図柄表示装置における回転ドラムの回転と球誘導アームの変動との関係の側面説明図である。
【図５】  実施例１の図柄表示装置における回転ドラムの回転と球誘導アームの変動との関係の側面説明図である。
【図６】  実施例１の図柄表示装置における回転ドラムの回転と球誘導アームの変動との関係の側面説明図である。
【図７】  実施例１の図柄表示装置における回転ドラムの回転と球誘導アームの変動との関係の側面説明図である。
【図８】  実施例１の図柄表示装置の回転ドラムの胴に描かれている図柄の展開図である。
【図９】  実施例１のパチンコ機の遊技盤の背面図である。
【図１０】  実施例１の図柄表示装置において特別通路が形成された際の遊技球の経路の説明図である。
【図１１】  実施例１の図柄表示装置において特別通路が形成されていないときの遊技球の経路の説明図である。
【図１２】  実施例１の図柄表示装置において特別通路が形成されていないときの遊技球の経路の説明図である。
【図１３】  実施例１の図柄表示装置において特別通路が形成されていないときの遊技球の経路の説明図である。
【図１４】  変形例の遊技盤の正面図である。
【図１５】  変形例で使用した振分装置の振分皿の構造の説明図であり、図１５（ａ）は平面図、図１５（ｂ）は図１５（ａ）におけるＡ−Ａ断面図である。
【図１６】  実施例２のパチンコ機の遊技盤の正面図である。
【図１７】  実施例２の図柄表示装置の振分機構部の説明図であり、図１７（ａ）は左右方向断面図、図１７（ｂ）は前後方向断面図である。
【図１８】  実施例２の図柄表示装置の内部構造の正面図である。
【図１９】  実施例２の図柄表示装置の下回転ドラムの駆動系を説明する断面図である。
【図２０】  実施例２の図柄表示装置の上回転ドラムの駆動系を説明する断面図である。
【図２１】  実施例２の図柄表示装置の上回転ドラムの駆動系を説明する断面図である。
【図２２】  実施例２の図柄表示装置の上回転ドラムの駆動系を説明する断面図である。
【図２３】  実施例２の図柄表示装置の上回転ドラムの駆動系を説明する断面図である。
【図２４】  実施例２の図柄表示装置の上下回転ドラムの胴に描かれている図柄の説明図である。
【図２５】  実施例２のパチンコ機の遊技盤の背面図である。
【図２６】  実施例２の図柄表示装置における遊技球の経路の説明図であり、図２６（ａ）は特別通路が形成されたときの、図２６（ｂ）は特別通路が形成されていないときの遊技球の経路の説明図である。
【図２７】  実施例２の図柄表示装置を通過した遊技球の進路の説明図であり、図２７（ａ）は大当たり時の、図２７（ｂ）は小当たり時の、図２７（ｃ）は外れ時の説明図である。
【符号の説明】
１０…遊技盤    １６…遊技領域    ２６…可変入賞装置（変動入賞装置）
２８…可変入賞装置（変動入賞装置）
５０、５０ａ…図柄表示装置（条件装置）
５６、５８、６０…回転ドラム    ５７…胴    ５９…駆動突起
６１…ロック溝    ６２、６４、６６…入球口    ６３…カム
７３…駆動腕    ７５…カムピン    ７９…揺動軸    ８４…ドラム軸
８６、８８、９０…球誘導アーム（変位部材）
９２、９４、９６…樋部（変位部材）
９２ａ、９４ａ、９６ａ…球誘導樋（変位部材）
９４ｂ、９６ｂ…上樋部（変位部材）
１１４…ロック揺動軸    １１５、１１７…内部樋形成板（駆動球通路）
１１６…内部樋（駆動球通路）    １１８…ロック部材
１１９…誘導突起    １２０…ロック腕    １２２…係止溝    １２４…爪部
１３０…図柄    １３２…ＢＡＲ図柄（図柄）
１３４…７図柄（図柄）    １３６…果実図柄（図柄）
１４０…７縮図（予告手段）    １４２…果実縮図（予告手段）
１４４…ＢＡＲ縮図（予告手段）    １５０…集合樋    １５２…排出口
１５４…特別樋    １５６…流出端
２１０…遊技盤    ２１６…遊技領域
２２３…可変入賞装置（変動入賞装置）
２２６…可変入賞装置（変動入賞装置）
２２９…可変入賞装置（変動入賞装置）    ２４１…大当誘導樋
２４２…小当誘導樋    ２４３…外れ誘導樋    ２４４…側方誘導樋
２４５…駆動レバー    ２４６…伝達レバー    ２４７…駆動レバー
２４８…伝達レバー    ２５０…図柄表示装置（条件装置）
２５４…表示窓    ２５６…上回転ドラム  ２５７…第１図柄
２５９…第２図柄    ２６１…第３図柄
２５７ａ…７図柄（図柄）  ２５７ｂ…ベル縮図（予告手段）
２５８…下回転ドラム    ２５９ａ…ベル図柄（図柄）
２５９ｂ…チェリー縮図（予告手段）    ２６１ａ…チェリー図柄（図柄）
２６１ｂ…７縮図（予告手段）    ２６２…入球口    ２６３…振分機構部
２６４…無効穴    ２６６…左有効穴（駆動球通路）
２６７…左誘導路（駆動球通路）
２６８…右有効穴（駆動球通路）    ２６９…右誘導路（駆動球通路）
２７０…モータ    ２７２…回転体
２７３…切欠面    ２８０…後枠
２８２…ロック揺動軸    ２８４…左第１ロック腕    ２８６…左第２ロック腕
２８８…右第１ロック腕    ２９０…右第２ロック腕    ２９２…係止突起
２９４…係止ピン    ２９６…揺動軸    ２９８…陥没部
３００…球誘導アーム    ３０２…外筒    ３０４…上樋    ３０６…下樋
３０８…樋部    ３１０…誘導突起    ３１２…駆動腕    ３１４…カムピン
３１６…第１カム面    ３１８…第２カム面    ３２０…第３カム面
３２２…第４カム面    ３２４…カム
３２６…ドラムホイール    ３２８…駆動片    ３３０…下段ドラム軸
３３２…爪部    ３３６…係止突起    ３３８…係止ピン    ３４０…陥没部
３５０…球誘導アーム    ３５２…樋    ３５４…樋部    ３５６…誘導突起
３５８…駆動腕    ３６０…カムピン    ３６２…第１カム面
３６４…第２カム面    ３６６…第３カム面    ３６８…第４カム面
３７０…カム    ３７２…ドラムホイール    ３７４…駆動片
３７６…第１歯車（上下方向駆動力伝達機構）    ３７８…上段ドラム軸    ３８０…第２歯車（上下方向駆動力伝達機構）
３８２…爪部    ３９０…球分別樋    ３９２…大当たりゾーン
３９４…小当たりゾーン    ３９６…外れゾーン    Ｓ…特別通路
【図１】
0004297201.tif 000002
【図２】
0004297201.tif 000003
【図３】
0004297201.tif 000004
【図４】
0004297201.tif 000005
【図５】
0004297201.tif 000006
【図６】
0004297201.tif 000007
【図７】
0004297201.tif 000008
【図８】
0004297201.tif 000009
【図９】
0004297201.tif 000010
【図１０】
0004297201.tif 000011
【図１１】
0004297201.tif 000012
【図１２】
0004297201.tif 000013
【図１３】
0004297201.tif 000014
【図１４】
0004297201.tif 000015
【図１５】
0004297201.tif 000016
【図１６】
0004297201.tif 000017
【図１７】
0004297201.tif 000018
【図１８】
0004297201.tif 000019
【図１９】
0004297201.tif 000020
【図２０】
0004297201.tif 000021
【図２１】
0004297201.tif 000022
【図２２】
0004297201.tif 000023
【図２３】
0004297201.tif 000024
【図２４】
0004297201.tif 000025
【図２５】
0004297201.tif 000026
【図２６】
0004297201.tif 000027
【図２７】
0004297201.tif 000028